(57)【特許請求の範囲】
【請求項１】
ファンユニットが備わる箱型の本体フレームの下方中央に吸気取込口を、周囲に循環流用の吹出口を備える同時循環排気型換気扇において、
前記ファンユニットは、下側に置かれる渦巻状の排気ファンケーシングと、該排気ファンケーシングの上側に重なるように配置される渦巻状の循環流用ファンケーシングと、両ファンケーシングに内置される遠心ファンロータを備え、
前記排気ファンケーシングの吐出口と前記循環流用ファンケーシングの吐出口を９０°ずらして排気ファンケーシングと循環流用ファンケーシングを本体フレーム内に配置し、  屋外に排気を導く排気流路に前記排気ファンケーシングの吐出側を連通し、前記吹出口に前記循環流用ファンケーシングの吐出側を連通し、
前記遠心ファンロータの吸込側を前記吸気取込口ないし屋内の引込流路に連通し、
前記循環流用ファンケーシングの吐出側から前記吹出口に至る循環流吹出流路は、前記排気ファンケーシングの外周と本体フレームの内側との間に構成したことを特徴とする同時循環排気型換気扇。
【請求項２】
請求項１記載の同時循環排気型換気扇において、
前記循環流用ファンケーシング側に位置する前記遠心ファンロータの吸込側を浴室以外の室に通ずる引き込み流路に連通したことを特徴とする同時循環排気型換気扇。
【請求項３】
請求項１記載の同時循環排気型換気扇において、
前記本体フレームには前記排気ファンケーシングの下面側になるように排気用吸込口板を設け、この排気用吸込口板の中央に吸気口を設け、この吸気口の外周に吸気口を囲う筒部を設け、前記循環流用ファンケーシングの吐出側から吹出口に向かう循環流吹出流路と前記吸気取込口から吸気口に向かう吸込流路を前記筒部で分離したことを特徴とする同時循環排気型換気扇。
【請求項４】
請求項３に記載した同時循環排気型換気扇において、
前記排気用吸込口板に着脱自在に取り付けられるグリル板を備え、このグリル板には前記排気用吸込口板の筒部に着脱自在に嵌合する支持筒を設けたことを特徴とする同時循環排気型換気扇。
【請求項５】
請求項４に記載した同時循環排気型換気扇において、前記支持筒に係止突起を形成し、この係止突起が嵌まる保持穴を前記筒部に設けたことを特徴とする同時循環排気型換気扇。
【請求項６】
請求項４または５に記載した同時循環排気型換気扇において、
前記グリル板の外周の大きさを本体フレームの外周の大きさよりも大きくしたことを特徴とする同時循環排気型換気扇。
【請求項７】
請求項２に記載した同時循環排気型換気扇において、
前記吹出口より吹き出されて浴室内を循環する循環流の風量と前記吸気取込口に吸い込まれる風量を同等ないし循環流の風量の方を幾分少なめにしたことを特徴とする同時循環排気型換気扇。
【請求項８】
請求項２または請求項７に記載されている同時循環排気型換気扇において、
前記ファンロータを排気ファンケーシング内に位置する側と循環流用ファンケーシング内に位置する側とに分ける仕切板としての支持板を前記遠心ファンロータに備え、循環流用ファンケーシングと、排気ファンケーシングを仕切るファンケーシング仕切部材を備え、前記支持板のファンロータ側の外周部とファンケーシング仕切部材の内周を接近させたことを特徴とする同時循環排気型換気扇。
【請求項９】
請求項１から８のいずれか一つに記載されている同時循環排気型換気扇において、
排気ファンケーシング内に位置するファンロータ側と循環流用ファンケーシング内に位置するファンロータ側を一体に形成したことを特徴とする同時循環排気型換気扇。
【請求項１０】
ファンユニットが備わる本体フレームの下方中央に吸気取込口を、周囲に循環流用の吹出口を備え、かつ前記吹出口および前記吸気取込口が浴室に臨むように前記本体フレームを天井に取付ける同時循環排気型換気扇において、
前記ファンユニットは、下側に置かれる排気ファンケーシングと、この排気ファンケーシングの上側に重なるように配置される循環流用ファンケーシングと、両ファンケーシングに内置される遠心ファンロータを備え、
前記循環流用ファンケーシング側に位置する前記遠心ファンロータの吸込側と前記排気ファンケーシング側に位置する前記遠心ファンロータの吸込側をともに前記吸気取込口に連通させ、
前記排気ファンケーシングの吐出口と前記循環流用ファンケーシングの吐出口を９０°ずらして排気ファンケーシングと循環流用ファンケーシングを本体フレーム内に配置したことを特徴とする同時循環排気型換気扇。
【発明の詳細な説明】
【０００１】
【発明の属する技術分野】
本発明は浴室内等の換気をすると同時に、浴室内に循環する空気を吹き込む同時循環排気型換気扇に関する。
【０００２】
【従来の技術】
この種の同時循環排気型換気扇について特開平８−２６１５２９号公開特許公報を引用して説明する。
【０００３】
ここに示される同時循環排気型換気扇は、ファンユニットが備わる本体フレームの下部にグリル板を備え、グリル板の中央に吸気取込口を、周囲に循環流用の吹出口を設け、前記ファンユニットにはファンケーシングとファンロータと吐出流を分ける分岐用のガイドを備え、排気される吐出流の一部を循環流として吹出口側に導くようにした構成ものである。
【０００４】
このものは、一つのファンケーシングの吐出側に分岐用のガイドを設けて循環流を室内に導くようにしているので、十分な量の循環流を確保できないものであった。
【０００５】
【発明が解決しようとする課題】
本発明は、前記の問題に対処し、十分な量の循環流を確保できるものを提供することを目的とする。
【０００６】
【課題を解決する手段】
本発明は、ファンユニットが備わる箱型の本体フレームの下方中央に吸気取込口を、周囲に循環流用の吹出口を備える同時循環排気型換気扇において、ファンユニットは、下側に置かれる渦巻状の排気ファンケーシングと、該排気ファンケーシングの上側に重なるように配置される渦巻状の循環流用ファンケーシングと、両ファンケーシングに内置される遠心ファンロータを備え、排気ファンケーシングの吐出口と循環流用ファンケーシングの吐出口を９０°ずらして排気ファンケーシングと循環流用ファンケーシングを本体フレーム内に配置し、屋外に排気を導く排気流路に排気ファンケーシングの吐出側を連通し、吹出口に前記循環流用ファンケーシングの吐出側を連通し、遠心ファンロータの吸込側を吸気取込口ないし屋内の引込流路に連通し、循環流用ファンケーシングの吐出側から吹出口に至る循環流吹出流路は、排気ファンケーシングの外周と本体フレームの内側との間に構成したことを特徴とする。
また、本発明は、ファンユニットが備わる本体フレームの下方中央に吸気取込口を、周囲に循環流用の吹出口を備え、かつ吹出口および吸気取込口が浴室等に臨むように前記本体フレームを天井に取付ける同時循環排気型換気扇において、ファンユニットは、下側に置かれる排気ファンケーシングと、この排気ファンケーシングの上側に重なるように配置される循環流用ファンケーシングと、両ファンケーシングに内置される遠心ファンロータを備え、循環流用ファンケーシング側に位置する遠心ファンロータの吸込側と排気ファンケーシング側に位置する遠心ファンロータの吸込側をともに吸気取込口に連通させたことを特徴とする。
【０００７】
【発明の実施の形態】
本発明の実施形態を図面を引用して説明する。図１は本発明の一実施形態に係る同時循環排気型換気扇であって、浴室の天井に取り付けた状態の縦断面を示している。図２は本発明の他の実施形態に係るもので、図１と同様に浴室の天井に取り付けた状態の縦断面を示している。図１は浴室以外の部屋から導いた空気を浴室の天井から吹込んで循環流としているのに対し、図２は浴室より吸込んだ空気を浴室内に再循環流として取り込んでいるものである。図３は図１の同時循環排気型換気扇を下から見たもので、グリル板および排気用吸込口板を外した状態を示している。図１、図２は大部分が共通であるので、違うところを除いて同一の符号を付け、重複した説明は省略する。
【０００８】
図１、図２、図３に示すように、この同時循環排気型換気扇は主に浴室の天井１をくり抜く貫いた取付け穴に嵌め込むように取り付けるのである。箱型の本体フレーム２内にはファンユニットが、左右の両外側面には引込みダクト継手３、排気ダクト継手４が、下面にはグリル板５が備わる。ファンユニットは、循環流用ファンケーシング６、排気ファンケーシング７、ファンロータ８、排気用吸込口板９等が備わる。このファンユニットの詳細は別の図を加えて後述する。なお、図２に示すものは引込みダクト継手３が備わらないのである。ファンロータ８を駆動する電動機１０は、単相のくまとり誘導機である。この電動機１０は鋼板のモータ支持板２０を介して本体フレーム２の天板部２１に支持される。電動機１０の上側はモータカバー２２で被われている。このモータカバー２２は天板部２１に形成した筒状支持台２３に嵌合支持されている。モータカバー２２の天井に形成されている薄肉部２４は電動機１０の上側に突き出た軸受の突出部２５を逃げるためである。電動機１０の回転軸２６に前記ファンロータ８が支持されるのである。
【０００９】
本体フレーム２には、引込みダクト継手３の取付け対向部に空気の引込穴２７が、排気ダクト継手４の取付け対向部に排出口２８が形成されている。引込みダクト継手３の内側には引込みシャッター２９が、排気ダクト継手４の内側には排気シャッター３０が備わる。引込みシャッター２９は上下の支持ピン２９Ａ、２９Ｂに回動自在に支持される。両支持ピン２９Ａ、２９Ｂは上下の垂直線に対して少し傾けて配置されている。この傾きにより、引込みシャッター２９は自重で自然に閉じるのである。引込みの通風があると、通風の力で開けられるのである。排気シャッター３０も傾斜する支持ピン３０Ａ、３０Ｂに支持されているので、引込みシャッター２９と同様に自重で自然に閉じるのである。
【００１０】
引込みダクト継手３の外周に形成されている外筒４０は長い内筒４１と同心的に形成されている。排気ダクト継手４の外周に形成されている外筒４２は長い内筒４３と同心的に形成されている。この引込みダクト継手３と排気ダクト継手４は、本体フレーム２が取り付けられる天井の取付け穴の天井裏に取り付けられるのである。図５に示すように循環流を引き込む引込流路としての引込みダクトパイプ４４、排気流路を形成する排気ダクトパイプ４５が備わる浴室の天井裏に取り込んまれて引込みダクト継手３、排気ダクト継手４は引込みダクトパイプ４４、排気ダクトパイプ４５にそれぞれ接続されるのである。引込みダクト継手３は、長い内筒４１を引込みダクパイプ４４に挿入して引込みダクパイプ４４の先端に外筒４０の端面を突き当てる。そして、その突き当て部分の外周をテーピングして引込みダクトパイプ４４に引込みダクト継手３を取り付ける。排気ダクト継手４は、長い内筒４３を排気ダクトパイプ４５に挿入して排気ダクトパイプ４５の先端に外筒４２の端面を突き当てる。そして、その突き当て部分の外周をテーピングして排気ダクトパイプ４５に排気ダクト継手４を取り付ける。このように引込みダクト継手３と排気ダクト継手４を取り付けた後に本体フレーム２を天井の取付け穴より挿入して引込みダクト継手３および排気ダクト継手４に取り付けるのである。図４に示すものは引込みダクト継手３がないので、排気ダクト継手４を取り付けるだけで本体フレーム２の取付けを始めることができるのである。本体フレーム２と引込みダクト継手３および排気ダクト継手４との取付けについては、後でさらに説明を加える。
【００１１】
図１、図３に示すファンロータ８、図２に示すファンロータ８’はシロッコ形の遠心ファンロータで合成樹脂（ポリプロピレン）で形成されている。ファンロータ８は、軸方向に長い複数のファンブレードと支持板４６を有する。支持板４６の中央には電動機１０の回転軸２６を支持する軸支持ボス４７が備えられる。軸支持ボス４７の先側には三つのスリットが形成され、外周に締付ばね４８が装着されているので、締付ばね４８の締め付けにより回転軸２６は軸支持ボス４７から簡単に抜けないのである。ファンロータ８’は軸方向に長い複数のファンブレードと支持板４９を有する。支持板４９の中央には電動機１０の回転軸２６を支持する軸支持ボス４７が備えられ、反対面の外周側寄りには冷却ファンブレード１６０が備わる。図１、図３に示すファンロータ８が支持板４６をファンブレードの軸方向に沿う中途に位置しているのに対し、図２に示すファンロータ８’はファンブレードの軸方向端部に位置しているのである。このため、ファンロータ８はファン自体が二つに分けられているのに対し、ファンロータ８’はファン自体が二つに分けられていないのである。
【００１２】
本体フレーム２、ファンユニット、グリル板５、排気用吸込口板９等について図６から図１６も引用しながら説明を加える。
【００１３】
循環流用ファンケーシング６は合成樹脂（ＡＢＳ）で形成され、図６、図７、図８に示すように渦巻状のケーシング筒部５０、渦巻状のケーシング側板部５１、フランジ部５２を有する。渦巻状のケーシング筒部５０の外周には吐出口５３が備わる。渦巻状のケーシング側板部５１の中央には吸気口５４が備わる。吸気口５４の口縁は内側に湾曲するベルマウスの形状に形成されている。ケーシング側板部５１の外側面には立上がるように形成される複数の支持足５５が備わる。フランジ部５２は外周に壁縁５６を有し、この壁縁５６は本体フレーム２の内壁面に接するような寸法関係に形成されている。図示はされていないが、壁縁５６と本体フレーム２の内壁面との気密を良くするために設けるシールパッキングは壁縁５６側に接着して備える。またフランジ部５２には後述するガイド穴５７および位置決め穴５８が備わる。さらにケーシング側板部５１で吐出口５３の先端になるところには下向きに湾曲する湾曲部５９が備わる。この循環流用ファンケーシング６は、図１に示すようにケーシング側板部５１が本体フレーム２の天板部２１側に向くようにして本体フレーム２内にセットされる。
【００１４】
排気ファンケーシング７は合成樹脂（ＡＢＳ）で形成され、図９、図１０、図１１に示すように渦巻状のケーシング筒部７０、渦巻状のケーシング側板部７１を有する。ケーシング筒部７０の外周には吐出口７２が備わる。ケーシング筒部７０の外周面には後述するガイド筒穴７３が備わる。ケーシング側板部７１の外側面には前記位置決め穴５８に嵌まる複数の位置決め突起７４が備わる。ケーシング側板部７１の中央にはファンロータ８の外周が嵌まるファン挿入穴７５が形成されている。ケーシング側板部７１で、吐出口７２の先端側になるところを外側に向くように傾斜する傾斜部７６にしている。この排気ファンケーシング７は、図１に示すように本体フレーム２内に挿入される。ケーシング側板部７１を上側にして循環流用ファンケーシング６の下に上下に重ね合わさるように置かれる。この上下の重ね合わせにより、循環流用ファンケーシング６の位置決め穴５８に排気ファンケーシング７の位置決め突起７４が嵌まり、循環流用ファンケーシング６と排気ファンケーシング７の係合関係がしっかりするのである。
【００１５】
排気用吸込口板９は合成樹脂（ポリプロピレン）で形成され、図１２、図１３、図１４で示すように吸込流路の筒部８０、外周のフランジ部８１、筒部８０の中央に形成される吸気口８２を有する。吸気口８２はフランジ部８１の面よりも下側に下がって口縁部にかけて湾曲するように立ち上がる断面がほぼＵ字状の形状に形成されている。吸気口８２の底には複数の水抜き穴８３が形成されている。フランジ部８１の外周側には複数のねじ通し穴８４が形成されている。筒部８０には複数の保持穴８５が形成されている。さらにフランジ部８１の周縁には壁縁８６を設ける。この壁縁８６は筒部８０と逆方向に立つように形成されている。この排気用吸込口板９は、図１に示すように本体フレーム２に挿入される。フランジ部８１が前記排気ファンケーシング７のケーシング筒部７０の下端に当接し、筒部８０が下向きになるように置かれる。
【００１６】
グリル板５は、図１に示すように正方形をなすほぼ平板状の基板部９０、支持筒９１、吸気取込口９２を有する。支持筒９１は基板部９０の裏面から立ち上がるように形成されている。この支持筒９１は前記筒部８０の外周に嵌合する大きさに形成されている。そして、支持筒９１の内周に備わる係止突起９３は前記排気用吸込口板９の保持穴８５に嵌まり込んでグリル板５を支持するものである。
【００１７】
なお、筒部８０に係止突起９３を、支持筒９１に保持穴８５を設けるようにしてもよい。係止突起９３の上側に傾斜をつけて保持穴８５への係止突起９３の挿入を容易にしている。係止突起９３の下側は直角な段になっているので係止突起９３が保持穴８５に嵌まると下方に抜けることがなく、グリル板５が自然に落下することはない。係止突起９３の左右端部にも傾斜がつけられているので、グリル板５は外周をもって、ねじるように回すことにより、係止突起９３が保持穴８５から直ぐに外れるので、グリル板５を排気用吸込口板９から簡単に外すことができるのである。また支持筒９１は、吸気取込口９２から取り込まれて支持筒９１の内側を流れる空気の流れと、支持筒９１の外側を流れる空気の流れを仕切る仕切壁にもなっている。グリル板５には支持筒９１の外寄りに水落し穴９４が形成されている。グリル板５の上側で水落し穴９４の縁には目隠し突起９５が備わる。水落し穴９４を通して内部が素通しなるのを防いだものである。
【００１８】
本体フレーム２は合成樹脂（ＡＢＳ）で形成され、図１５、図１６に示すように矩形の箱部１００、外周フランジ部１０１、天板部２１を有する。本体フレーム２には天板部２１の内側面から外周フランジ部１０１の方に向かって箱部１００の壁面に沿うように延在する支持柱１０２が備わる。この支持柱１０２には位置決めリブ１０３が備わる。支持柱１０２の先端側にはねじ穴が形成されている。外周フランジ部１０１には一対の止めねじ通し穴１０４と一対の爪係止穴１０５が備わる。天板部２１の上側には係止突起爪１０９を設ける。箱部１００の対向壁面には循環風取込穴１０６、排気風排出口１０７が備わる。この循環風取込穴１０６に隣接する天板部２１のところを上側に昇るように傾斜させる傾斜部１０７を設けて循環風取込穴１０６を大きくしている。本体フレーム２は、ファンユニット、排気用吸込口板９をセットして天井１の取付け穴に挿入して取付けるのである。取付け穴に本体フレーム２を挿入することにより、前もって天井裏に取付けられている引込みダクト継手３と排気ダクト継手４との間に本体フレーム２は取り付けられる。この取付けで、図１、図３に示すように引込みダクト継手３および排気ダクト継手４の挿入係止突起１２０が爪係止穴１０５に挿入係止され、本体フレーム２の係止突起爪１０９が引込みダクト継手３および排気ダクト継手４の係合受け穴（図示せず）に挿入係止されることにより、本体フレーム２は引込みダクト継手３と排気ダクト継手４に仮止めされる。この後で止めねじ通し穴１０４に固定ねじを差し込んで、本体フレーム２を天井にしっかり固定するのである。この後に前述したようにグリル板５を排気用吸込口板９に取り付けるのである。グリル板５の支持筒９１の外周と本体フレーム２の箱部１００の内周との間にできている空間１４０は循環流吹出流路の一部を成している。グリル板５の基板部９０と本体フレーム２の外周フランジ部１０１ないし天井１との間にできている空間１４１も循環流吹出流路の一部を成すもので、空間１４０と空間１４１は直角に曲がっている。そして空間１４１の先端側は循環流吹出流路の吹出口１４２になるもので、この吹出口１４２はグリル板５の全周に備わるとともに天井１の面に沿う方向に向いている。本体フレーム２は、循環流取込穴１０６側が引込みダクト継手３に、排気風排出口１０７側が排気ダクト継手４に連通するように取るつけられるのであるが、循環流取込穴１０６側と引込みダクト継手３の気密、排気風排出口１０７側と排気ダクト継手４の気密を良くするために接合部にシールパッキングを備えている。このシールパッキングは引込みダクト継手３と排気ダクト継手４に接着されて備えられ、かつ本体フレーム２の取付けがしや
すいように本体フレーム２に対向する面を滑りやすく施している。また天板部２１には電動機１０を取り付ける電動機取付穴１０８が形成されている。モータ支持板２０を電動機取付穴１０８に合わせた後に、モータ支持板２０をねじるように回すことにより、モータ支持板２０は保持される。そして、ねじでモータ支持板２０を本体フレーム２にしっかり固定するのである。また前述した一対の爪係止穴１０５は止めねじ通し穴１０４に対して対称ではなく、片側に寄せて配置されているので、引込みダクト継手３と排気ダクト継手４を履き違えて本体フレーム２に取り付けてたとしても、挿入係止突起１２０が爪係止穴１０５に嵌まらなく、取付けの誤りを知ることができるのである。さらに排気ダクト継手４が取り付けた状態にあっては、前記モータカバー２２の外周に形成した止めリブ１６１が排気ダクト継手４に位置するようにしているので、排気ダクト継手４を外さないとモータカバー２２を外すことができないようになっているのである。さらにまた吹出口１４２の周囲を縁取る基板部９０の外周の大きさは、本体フレーム２の外周になる外周フランジ部１０１より大きいので、外周フランジ部１０１がグリル板５で隠れてしまうので体裁が良いのである。
【００１９】
前述したように本体フレーム２に挿入される循環流用ファンケーシング６は吐出口５３が循環流取込穴１０６に対して９０度ずらして置かれる。フランジ部５２のガイド穴５７には支持柱１０２が挿入され、フランジ部５２の上面に位置決めリブ１０３が当接して奥行き方向の位置が定まるのである。これに加え、支持足５５の先端が天板部２１に当接して奥行き方向の位置決めがより確実になるのである。フランジ部５２の外周および吐出口５３の先端は本体フレーム２の箱部１００の内壁面に当接するので吐出口５３からの吐出流が吸気口５４に戻ることはないのである。フランジ部５２の壁縁５６に備えたシールパッキングで気密を良くしているので、なおのこと戻りが生じないのである。循環流用ファンケーシング６のケーシング筒部５０の上側およびケーシング側板部５１の外周と本体フレーム２の箱部１００との間に形成される空間６０は循環流取込流路を構成するもので、この循環流取込流路は本体フレーム２の循環風取込穴１０６を介して引込みダクト継手３に、吸気口５４を介して循環流用ファンケーシング６の内部に連通しているのである。
【００２０】
排気ファンケーシング７は前述したように循環流用ファンケーシング６と上下に重なるようにして本体フレーム２に挿入されのであるが、排気ファンケーシング７の吐出口７２は循環流用ファンケーシング６の吐出口５３と９０度づらして置かれ、しかも本体フレーム２の排気風排出口１０７に合わさるように取り付けられるのである。排気ファンケーシング７のガイド筒穴７３に本体フレーム２の支持柱１０２が挿入されることにより、排気ファンケーシング７は所定の位置に取り付けられるのである。排気ファンケーシング７は外周側に通風路を確保しなければならないので、フランジのようなもので位置決めをすることは難しく、ガイド筒穴７３が必要であるのである。また排気ファンケーシング７は循環流用ファンケーシング６と上下に重なるように置かれ、かつフランジ部５２の循環流用ファンケーシング６に排気ファンケーシング７のケーシング側板部７１の上面側が当接するので、ケーシング側板部７１の上面側は循環流用ファンケーシング６の下側部を構成することになるのである。
【００２１】
排気用吸込口板９は前述したように排気ファンケーシング７に重なるように本体フレーム２に挿入させる。排気ファンケーシング７のケーシング筒部７０の下端にフランジ部８１を当接させて重ねることで、排気用吸込口板９の壁縁８６がケーシング筒部７０の外周に嵌合するのである。そして、本体フレーム２の支持柱１０２のねじ穴に対向するように置かれるフランジ部８１のねじ通し穴８４に止ねじを挿入して三っの部品（循環流用ファンケーシング６、排気ファンケーシング７、排気用吸込口板９）をまとめて本体フレーム２に取り付けるのである。排気ファンケーシング７のケーシング筒部７０の下端側はフランジ部８１で被われるので、フランジ部８１は排気ファンケーシング７の一部を構成することになるのである。
【００２２】
上述したように排気ファンケーシング７の吐出口７２は、本体フレーム２の排気風排出口１０７に合されて本体フレーム２の外側に連通するようになっているので、排気ファンケーシング７から吐き出された排気は本体フレーム２の外に排出される。これに対し、循環流用ファンケーシング６の吐出口５３は本体フレーム２の内部に臨んでいるので、循環流用ファンケーシング６からの吐出空気は本体フレーム２の内部に吐き出される。循環流用ファンケーシング６の吐出口５３から下流側は循環流吹出流路になるもので、この循環流吹出流路は循環流用ファンケーシング６のフランジ部５２で循環流取込流路と仕切られているので、循環流用ファンケーシング６から吐き出された吐出空気は排気ファンケーシング７の外周と本体フレーム２の箱部１００の内側との間にある循環流吹出流路を構成する空間を吹出口１４２に向かって流れるのである。
【００２３】
上記のような構成を有する循環流用ファンケーシング６および排気ファンケーシング７にファンロータ８が内置されるのである。排気ファンケーシング７のケーシング側板部７１の内周端がファンロータ８の支持板４６の外周端と対向するように置かれる。ファンロータ８はケーシング側板部７１および支持板４６で循環流用と排気流用に分けられるのである。ケーシング側板部７１に代えて循環流用ファンケーシング６と排気ファンケーシング７を仕切るファンケーシング仕切り部材を備えても良い。ケーシング側板部７１のファン挿入穴７５と支持板４６の外周端とのギャップが少ない方が、循環流と排気流の混流を少なく抑えることができるのである。このファンロータ８は循環流用と排気流用を一体に形成されているが、別体に形成したものを一つにして形成しても良い。ファンロータ８の循環流側のファンブレード内周端は循環流用ファンケーシング６の吸気口５４に対向するように置かれる。排気流用側のファンブレード内周端は排気用吸込口板９の吸気口８２に対向するように置かれる。これに対し、図２に示すファンロータ８’は冷却ファンブレード１６０が吸気口５４内に置かれるようになっている。しかも、循環流用と排気流用の空気は排気用吸込口板９の吸気口８２から一緒に取り入れられるようになっている。
【００２４】
図５は浴室の循環流および排気流を示すもので、天井１に同時循環排気型換気扇が、下部に浴槽１５０が備わる。外気取入口１５１が浴槽１５０に下部に備わる。Ｑ1は浴室から排気される排気流れ、Ｑ2は外気取入口１５１から入る外気流、Ｑ3およびＱ4は浴室内を循環する循環流、Ｑ5は浴室の隣にある脱衣室等から浴室に取り込まれるもので循環流になるものである。排気流Ｑ1は循環流（Ｑ3およびＱ4）と外気流Ｑ2の和である。Ｑ5はＱ3とＱ4の和である。Ｑ2とＱ5はＱ2＜Ｑ5の関係にしている。排気をしながら隣室から取り入れた空気を浴室に循環させるので、浴室内の曇りが良く取れるのである。脱衣室等の空気は浴室の空気より乾燥しており、この乾燥している空気を浴室の天井および壁に沿って循環させることにより、天井および壁の水滴が良く奪われ、天井および壁を乾燥状態に保つことができるのである。上述したＱ2＜Ｑ5の関係にしたのは浴室の温度低下を抑え気味にする狙いがある。脱衣室の気温は外気の気温より高いので、脱衣室からの空気取り入れ量を外気取り入れ量より多くすることで浴室の温度低下を抑えることができる。外気取入口１５１は洗い場の脇にあるので、寒さを感じやすく、この点でも外気流Ｑ2を少なくすることが望ましい。
【００２５】
図４は図５と同様に循環流および排気流を示している。図５と違うところは脱衣室からの空気の取り入れがないところである。Ｑ6は循環流と排気流である。Ｑ7は排気流、Ｑ8は外気流、Ｑ9およびＱ10は循環流である。Ｑ6は循環流（Ｑ9およびＱ10）と排気流Ｑ7の和である。またＱ6は循環流（Ｑ9およびＱ10）と外気流Ｑ8の和である。循環流（Ｑ9およびＱ10）と外気流Ｑ8は（Ｑ9およびＱ10）＞Ｑ8の関係にしている。この関係にしたのは浴室の温度低下抑制にある。図４のものは、脱衣室からの空気取り入れがない分だけ天井や壁の水滴が取れにくいので、天井や壁の乾燥状態を高めるのには図５のものよりも外気流Ｑ8の量を幾分高める必要がある。
【００２６】
これまでの説明は主に構成の観点からのものであるが、以下に動作の観点から発明の実施形態について説明する。
【００２７】
まず、図１に示す同時循環排気型換気扇に基づいて説明する。
【００２８】
電動機１０の運転でファンロータ８が回転すると、循環流Ｑ5と排気流Ｑ1が生じる。この循環流Ｑ5は、循環流用ファンケーシング６側のファンロータ８の吸引作用により、脱衣室から引込みダクトパイプ４４に流入し、引込みダクト継手３を経由して循環流用ファンケーシング６に流れ込むものである。この循環流Ｑ5の流れで引込みダクト継手３内の引込みシャッター２９が開かれる。引込みダクト継手３から循環流取込流路の空間６０に流入した循環流Ｑ5は吸気口５４から循環流用ファンケーシング６に流入するのである。循環流用ファンケーシング６の吐出口５３から吐出された吐出流である循環流Ｑ5は、排気ファンケーシング７の外周と本体フレーム２の箱部１００の内側との間にある循環流吹出流路を構成する空間を吹出口１４２に向かって流れるのである。吐出口５３の先端になるところに下向きに湾曲する湾曲部５９が備わるので、吹出口１４２に向かう下向きの流れが促進されるのである。この循環流吹出流路は循環流用ファンケーシング６のフランジ部５２で循環流取込流路と仕切られているので、吐出口５３から吐出された吐出流は循環流取込流路に戻ることなく、吹出口１４２に向かって流れるのである。その循環流Ｑ5は吹出口１４２に達する前に循環流吹出流路である空間１４０を流下し、グリル板５の基板部９０に衝突して外向きに直角に曲げられ、基板部９０に沿った流れになるのである。そして、吹出口１４２からグリル板５の全周に拡がるように吹き出されるのである。しかも、吹出口１４１から吹き出される循環流Ｑ5は天井１に沿う層流になるので、離れた壁面の下方まで届く流れになるのである。
【００２９】
排気流Ｑ1は、排気ファンケーシング７側のファンロータ８の吸引作用により、浴室内から吸気取込口９２、筒部８０の吸込流路を経由して排気ファンケーシング７に流入し、排気ダクト継手４から排気ダクトパイプ４５に流通する流れである。筒部８０の吸込流路に流入した排気流Ｑ1の空気は吸気口８２を通って排気ファンケーシング７内に流入する。排気ファンケーシング７の排出口２８から排気ダクト継手４に送られた排気流Ｑ7の流れで、排気シャッター３０は開かれる。そして、排気ダクト継手４および排気ダクトパイプ４５を経由して排気流Ｑ1は屋外に排気されるのである。排気流Ｑ1は浴室の湯気を多く含むので、排気ファンケーシング７を通過する際に排気流Ｑ1から分離した水分は吸気口８２の水抜き穴８３から滴下する。吸気口８２はフランジ部８１の面よりも下側に下がって口縁部にかけて湾曲するように立ち上がる断面がほぼＵ字状の溝になっているので、筒部８０から排気ファンケーシング７に流入する排気流Ｑ1の流れを円滑にすることに加え、排気流Ｑ1から分離した水分を集める機能も備えているのである。
【００３０】
このように循環流Ｑ5と排気流Ｑ1は、一つのファンケーシングに生じた流れを分岐して形成するものとは違い、ファンユニットに備わる循環流用ファンケーシング６、排気ファンケーシング７により別々に形成されるものであるので、浴室の湯気を排気するのに十分な排気量はもちろんのこと、天井面や壁面の乾燥させるのに必要な十分な量の循環流を作ることができるのである。また循環流用ファンケーシング６、排気ファンケーシング７は別々であるので、循環流用ファンケーシング６のケーシング筒部５０および排気ファンケーシング７のケーシング筒部７０の丈、渦巻の拡大形状やファンロータ８とノーズの寸法関係をそれぞれ任意に選ぶことができ、循環流量および排気量を任意に設定できる。
【００３１】
循環流Ｑ5と排気流Ｑ1が、ファンロータ８のところで混流しないようにファンロータ８の外周（支持板４６の外周）とファン挿入穴７５とのギャップを少なくしているが、支持板４６の外周をファンロータ８の外径より大きくして行くことにより、循環流用ファンケーシング６および排気ファンケーシング７へのファンロータ８の組込がしやすくなるのである。循環流Ｑ5と排気流Ｑ1の混流を少なくすることで、換気効率が向上し、湯気の十分なる排気および天井面や壁面の良好なる乾燥が行なわれる。
【００３２】
図２に示す同時循環排気型換気扇は循環させる空気を脱衣室等から取り入れないで、浴室から吸った空気が循環用と排気用に分けるところが図１と相違している。この相違点を主に説明し、図１と同じまたは共通するところの動作については説明を省く。
【００３３】
浴室よりグリル板５の吸気取込口９２を通して吸われる空気流Ｑ6（循環流・排気流）はファンロータ８’内で、二つに分かれる。排気ファンケーシング７内のファンロータ８’を通過した排気流Ｑ7は、排出口２８から排気ダクト継手４、排気ダクトパイプ４５を経由して屋外に排気される。循環流用ファンケーシング６内のファンロータ８’を通過した循環流(Ｑ9およびＱ10)は吐出口５３から吐出され、図１で述べた同時循環排気型換気扇と同様にファンユニット内を流れて吹出口１４２から天井に沿うように吹き出されるのである。循環流用ファンケーシング６は排気ファンケーシング７の上側にあるので、グリル板５の吸気取込口９２より吸われて吹出口１４２から吹き出されまでの流路は排気の流路に比べて長く、長い分だけ循環流から余計に水分が分離するのである。湯気を多く含んだ空気を循環するので、循環流が吹出口１４２から吹き出され前に水分が少しでも余計に抜けることは、天井面および壁面の乾燥にとって都合の良いことである。分離した水はグリル板５の水落し穴９４から滴下するのである。図１で述べた同時循環排気型換気扇とは違ってファンロータ８’に冷却ファンブレード１６０を備えたのは、電動機１０の冷却のためである。このものは図１に示すものと違って空間６０内に他から流れ込む空気の流れがなく、空間６０内の空気を動かすことで、放熱効果を高め、電動機１０の温度上昇を抑えているのである。
【００３４】
上記の実施の形態では図１、図５に示すように引込みダクト継手３と排気ダクト継手４を直線上に配置したものを述べたが、引込みダクト継手３と排気ダクト継手４に直角になるように配置しても良いのである。また循環流用ファンケーシング６と排気ファンケーシング７は、循環流用ファンケーシング６の吐出口５３と排気ファンケーシング７の吐出口７２が角度で９０°ずれるように配置したものについて述べたが、吐出口５３と吐出口７２を同じ位置または１８０°ずれるように配置することは可能である。ただし、図示されているような渦巻状の循環流用ファンケーシング６および排気ファンケーシング７を使用するものにあっては配置関係等からして循環流用ファンケーシング６の吐出口５３と排気ファンケーシング７の吐出口７２が角度で９０°ずれるように配置するのが望ましい。
【００３５】
以上述べた本発明の実施の形態で請求項に関係する特徴的なところを以下に列挙する。
【００３６】
（１）．ファンユニットが備わる本体フレームの下部中央に吸気取込口を、周囲に循環流用の吹出口を有する同時循環排気型換気扇において、前記ファンユニットは、下側に置される排気ファンケーシングと、この排気ファンケーシングの上側に重なるように配置される循環流用ファンケーシングと、両ファンケーシングに内置されるファンロータを備え、ファンロータの吸込側を前記吸気取込口ないし引込流路に連通し、排気ファンケーシングの吐出側を屋外に導く排気流路に、循環流用ファンケーシングの吐出側を吹出口に連通したことを特徴とするものである。
【００３７】
このような構成により、循環流と排気流は、一つのファンケーシングに生じた流れを分岐して形成するものとは違い、ファンユニットに備わる循環流用ファンケーシング、排気ファンケーシングにより別々に形成されるものであるので、浴室の湯気を排気するの十分な排気量はもちろんのこと、天井面や壁面の乾燥させるのに必要な十分な量の循環流を得ることができるのである。
【００３８】
（２）．上記（１）に加えるものにおいて、前記吹出口および前記吸気取込口が浴室に臨むように前記本体フレームを天井に取付け、前記循環流用ファンケーシング側になるファンロータの吸込側を浴室以外の室に通ずる引込流路に連通させたことを特徴とするものである。
【００３９】
浴室とは違って、脱衣室等の空気はよく乾燥しており、この乾燥している空気を浴室の天井および壁に沿って循環させることにより、天井および壁の水滴が良く奪われ、天井および壁を乾燥状態に保つことができるのである。
【００４０】
（３）．上記（１）に加えるものにおいて、前記吹出口および前記吸気取込口が浴室に臨むように前記本体フレームを天井に取付け、前記循環流用ファンケーシング側になるファンロータの吸込側と排気ファンケーシング側になるファンロータの引込み側をともに浴室に連通させたことを特徴とするものである。
【００４１】
この構成によれば、循環流用ファンケーシングが排気ファンケーシングの上側にあるので、吸気取込口から吹出口に至るまでの流路が排気の流路に比べて長く、長い分だけ循環流から余計に水分を分離するのである。浴室の湯気を多く含んだ空気を循環するので、循環流が吹出口から吹き出され前に水分が少しでも余計に抜けることは、天井面および壁面の乾燥にとって都合の良いことである。
【００４２】
（４）．上記（１）に加えるものにおいて、本体フレームには排気ファンケーシングの下面側になるように排気用吸込口板を設け、この排気用吸込口板の中央に吸気口を設け、この吸気口の外周に吸気口を囲う筒部を設け、循環流用ファンケーシングの吐出側から吹出口に向かう循環流吹出流路と前記吸気取込口から吸気口に向かう吸込流路を前記筒部で分離したことを特徴とするものである。
【００４３】
このように循環流吹出流路と吸込流路が前記筒部で分離されているので、循環流が吹出口より吹き出す前に吸込流路にリークしまうすることがなく、循環流による天井面および壁面等の乾燥が良く行なわれるのである。
【００４４】
（５）．上記（４）に加えるものにおいて、前記排気用吸込口板に着脱自在に取り付けられるグリル板を備え、このグリル板には前記排気用吸込口板の筒部に着脱自在に嵌合する支持筒を設けたことを特徴とするものである。
【００４５】
このように排気用吸込口板の筒部に支持筒を嵌合させてグリル板を支持させるものであるので、循環流吹出流路および吸込流路に別の支持具を備えるものとは違って流通が妨げられることがなくのである。
【００４６】
（６）．上記（５）に加えるものにおいて、前記支持筒に係止突起を形成し、この係止突起が嵌まる保持穴を前記筒部に設けたことを特徴とするものである。
【００４７】
この構成によると、係止突起が保持穴に嵌まるグリル板がしっかり止められるので、グリル板が自然に落ちる危険がないのである。
【００４８】
（７）．上記（５）または（６）に加えるものにおいて、グリル板は、ほぼ平板状の基板部と基板部から立ち上がるように形成され、かつ前記筒部に着脱自在に嵌合する支持筒と支持筒に囲まれる基板部の中央に形成される吸気取込口を有し、前記基板部の外周の大きさを本体フレームの外周の大きさよりも大きくしたことを特徴とするものである。
【００４９】
この構成によれば、本体フレームが周囲を含めてグリル板により隠れてしまうので、本体フレームを取り付けるねじ等の固定具が目につくことがなく、体裁のよいものである。
【００５０】
（８）．上記（２）から（７）のいずれか一つに加えるものにおいて、前記吹出口より吹き出されて浴室内を循環する循環流の風量と前記吸気取込口に吸い込まれる風量を同等ないし循環流の風量の方を幾分少なめにしたことを特徴とするものである。
【００５１】
このように循環流の風量と吸気取込口に吸い込まれる風量を同等ないし循環流の風量の方を幾分少なめになるようにしたため外気取り入れ量をできるだけ少なく抑えることができ、入浴者への寒さを少なくできるのである。
【００５２】
（９）．上記（２）から（８）のいずれか一つに加えるものにおいて、排気ファンケーシング内に位置するファンロータ側と循環流用ファンケーシング内に位置するファンロータ側に分ける仕切板としての支持板をファンロータに備え、循環流用ファンケーシングと、排気ファンケーシングを仕切るファンケーシング仕切部材を備え、前記支持板のファンロータ側の外周部とファンケーシング仕切部材の内周を接近させたことを特徴とするものである。
【００５３】
このように支持板のファンロータ側の外周部とファンケーシング仕切部材の内周を接近させたことにより、循環流と排気流の混流を少なく抑えることができるのである。
【００５４】
（１０）．上記（１）から（９）のいずれか一つに加えるものにおいて、排気ファンケーシング内に位置するファンロータ側と循環流用ファンケーシング内に位置するファンロータ側を一体に形成したことを特徴とするものである。
【００５５】
この構成によれば、排気ファンケーシング内に位置するファンロータ側と循環流用ファンケーシング内に位置するファンロータ側を別体に形成したものを一つのファンロータにするものに比べ、作りやすいのであく、アンバランス量も少なくなるのである。
【００５６】
【発明の効果】
以上述べたように本発明は、ファンユニットが備わる本体フレームの下部中央に吸気取込口を、周囲に循環流用の吹出口を有する同時循環排気型換気扇において、前記ファンユニットは、下側に置される排気ファンケーシングと、この排気ファンケーシングの上側に重なるように配置される循環流用ファンケーシングと、両ファンケーシングに内置されるファンロータを備え、ファンロータの吸込側を前記吸気取込口ないし引込流路に連通し、排気ファンケーシングの吐出側を屋外に導く排気流路に、循環流用ファンケーシングの吐出側を吹出口に連通したことを特徴と同時循環排気型換気扇にある。
【００５７】
この構成によれば、循環流と排気流は、一つのファンケーシングに生じた流れを分岐して形成するものとは違い、ファンユニットに備わる循環流用ファンケーシング、排気ファンケーシングにより別々に形成されるものであるので、浴室等の湯気を排気するの十分な排気量はもちろんのこと、天井面や壁面の乾燥させるのに必要な十分な量の循環流を得ることができるのである。
【図面の簡単な説明】
【図１】本発明の一実施形態に係る同時循環排気型換気扇の縦断面図である。
【図２】本発明の他の実施形態に係る同時循環排気型換気扇の縦断面図である。
【図３】図１に示す同時循環排気型換気扇の下面図で、排気用吸込口板、グリル板を外した状態を表している。
【図４】図２に示す同時循環排気型換気扇を浴室の天井に取り付けたもので、循環流および排気流を表した図である。
【図５】図１に示す同時循環排気型換気扇を浴室の天井に取り付けたもので、循環流および排気流を表した図である。
【図６】本発明の一実施形態に係る循環流用ファンケーシングの平面図である。
【図７】図６の（イ）−（イ）断面図である。
【図８】図６の（ロ）−（ロ）断面図である。
【図９】本発明の一実施形態に係る排気ファンケーシングの平面図である。
【図１０】図９の（ハ）−（ハ）断面図である。
【図１１】図９の（ニ）矢視図である。
【図１２】本発明の一実施形態に係る排気用吸込口板の平面図である。
【図１３】図１２の（ホ）−（ホ）断面図である。
【図１４】図１３の（ヘ）矢視図である。
【図１５】本発明の一実施形態に係る本体フレームの平面図である。
【図１６】図１５の（ト）−（ト）断面図である。
【符号の説明】
２…本体フレーム、６…循環流用ファンケーシング、７…排気ファンケーシング、８…ファンロータ、１４２…吹出口、９２…吸気取込口。
【図１】
0003540644.tif 000002
【図２】
0003540644.tif 000003
【図３】
0003540644.tif 000004
【図４】
0003540644.tif 000005
【図５】
0003540644.tif 000006
【図６】
0003540644.tif 000007
【図７】
0003540644.tif 000008
【図８】
0003540644.tif 000009
【図９】
0003540644.tif 000010
【図１０】
0003540644.tif 000011
【図１１】
0003540644.tif 000012
【図１２】
0003540644.tif 000013
【図１３】
0003540644.tif 000014
【図１４】
0003540644.tif 000015
【図１５】
0003540644.tif 000016
【図１６】
0003540644.tif 000017